(57)【要約】【課題】  被清掃面を選ばずに使用可能な粘着式清掃具を提供する。【解決手段】  粘着テープロール２の一端側に設けられた係止具４から繰り出された紐体５を粘着テープロール２１の一端側から他端側に向けて粘着面２２に沿って螺旋状に巻き付ける。【選択図】  図２
2006116168.tif 000002
【特許請求の範囲】
【請求項１】
片面粘着の粘着テープの粘着面が外周に向けて露出するように巻回された粘着テープロールと、上記粘着テープロールを回転可能に支持するテープ支持部とを備え、上記粘着面を被清掃面に接触させてゴミを除去する粘着式清掃具において、
上記粘着テープロールの粘着面に沿って螺旋状に巻き付けられる紐体を備えていることを特徴とする粘着式清掃具。
【請求項２】
上記テープ支持部には上記紐体の少なくとも一端を係止する係止具が設けられていることを特徴とする請求項１に記載の粘着式清掃具。
【請求項３】
上記係止具には上記紐体を巻き取っておくためのリール部が設けられていることを特徴とする請求項２に記載の粘着式清掃具。
【請求項４】
上記リール部には上記紐体の一部を引っ掛けておくための係止溝が設けられていることを特徴とする請求項３に記載の粘着式清掃具。
【請求項５】
上記係止具は上記テープ支持部に対して着脱可能に設けられていることを特徴とする請求項２，３または４に記載の粘着式清掃具。
【請求項６】
上記紐体は伸縮性を有することを特徴とする請求項１〜５のいずれか１項に記載の粘着式清掃具。
【請求項７】
上記粘着テープの中央部分には粘着性を有さない帯状の非粘着部が上記粘着テープの長さ方向に沿って連続的に形成されているとともに、上記粘着テープの基材と上記粘着面は色が異なるように着色されていることを特徴とする請求項１〜６のいずれか１項に記載の粘着式清掃具。
【請求項８】
上記非粘着部は蛇行状もしくは上記粘着テープの繰り出し方向に対して非平行の直線状に形成されていることを特徴とする請求項７に記載の粘着式清掃具。
【発明の詳細な説明】
【技術分野】
【０００１】
本発明は、粘着テープの粘着面を外周側に向けて巻回した粘着テープロールを用いた粘着式清掃具に関し、さらに詳しくいえば、被清掃面の材質に応じて捕捉力（粘着力）を可変にできる粘着式清掃具に関する。
【背景技術】
【０００２】
粘着式清掃具は、例えば特許文献１に示すように粘着テープの粘着面が外周に向けて露出するように巻回された粘着テープロールと、粘着テープロールを回転可能に支持するテープ支持部とを備え、粘着テープロールの粘着面を被清掃面に接触させて転がすことにより、被清掃面上のゴミを除去する清掃具として多くの場所で使用されている。
【０００３】
ところで、この種の粘着式清掃具はユーザーが被清掃面の材質に応じて最適な粘着テープロール（例えば絨毯用や畳用には強粘着タイプ、床などの平滑面には弱粘着タイプ）を選んでテープ支持部に取り付けて使用していた。
【０００４】
しかしながら、ユーザー側にとっては被清掃面の材質に応じて粘着テープロールをテープ支持部にいちいち付け替えるのは面倒であった。また、メーカー側にとっても多品目化すればするほど、生産コストや管理コストが高くなることは否めない。
【０００５】
また、強粘着タイプを床面などに誤って使用した場合、粘着テープの粘着力が大きすぎてしまい、粘着テープが床面に張り付くいわゆるレール引き現象を引き起こすことがしばしばあった。さらには、床面に張り付いた粘着テープを強引に剥がし取ると、床面を傷つけてしまうおそれもあった。
【０００６】
特許文献１にも示すように、一般的な清掃用粘着テープの一端側には使用後に粘着テープを捲りやすくするために粘着性を有さない部分（いわゆる、ドライエッジ）を設けているが、端部にドライエッジを設けた場合、被清掃面の隅に溜まったゴミを除去することは困難であった。
【０００７】
【特許文献１】実用新案登録第３０９６５２６号公報
【発明の開示】
【発明が解決しようとする課題】
【０００８】
そこで、本発明は上述した課題を解決するためになされたものであって、その目的は被清掃面を選ばずに使用可能な粘着式清掃具を提供することにある。
【課題を解決するための手段】
【０００９】
上述した目的を達成するため、本発明は以下に示すいくつかの特徴を備えている。請求項１に記載の発明は、片面粘着の粘着テープの粘着面が外周に向けて露出するように巻回された粘着テープロールと、上記粘着テープロールを回転可能に支持するテープ支持部とを備え、上記粘着面を被清掃面に接触させてゴミを除去する粘着式清掃具において、上記粘着テープロールの粘着面に沿って螺旋状に巻き付けられる紐体を備えていることを特徴としている。
【００１０】
請求項２に記載の発明は、上記請求項１において、上記テープ支持部には上記紐体の少なくとも一端を係止する係止具が設けられていることを特徴としている。
【００１１】
請求項３に記載の発明は、上記請求項２において、上記係止具には上記紐体を巻き取っておくためのリール部が設けられていることを特徴としている。
【００１２】
請求項４に記載の発明は、上記請求項３において、上記リール部には上記紐体の一部を引っ掛けておくための係止溝が設けられていることを特徴としている。
【００１３】
請求項５に記載の発明は、上記請求項２，３または４において、上記係止具は上記テープ支持部に対して着脱可能に設けられていることを特徴としている。
【００１４】
請求項６に記載の発明は、上記請求項１〜５のいずれか１項において、上記紐体は伸縮性を有することを特徴としている。
【００１５】
請求項７に記載の発明は、上記請求項１〜６のいずれか１項において、上記粘着テープの中央部分には粘着性を有さない帯状の非粘着部が上記粘着テープの長さ方向に沿って連続的に形成されているとともに、上記粘着テープの基材と上記粘着面は色が異なるように着色されていることを特徴としている。
【００１６】
請求項８に記載の発明は、上記請求項７において、上記非粘着部は蛇行状もしくは上記粘着テープの繰り出し方向に対して非平行の直線状に形成されていることを特徴としている。
【発明の効果】
【００１７】
請求項１に記載の発明によれば、粘着テープの外周面に沿って紐体を巻き付けることにより、粘着面の粘着力を低下させることができ、例えば絨毯用やカーペット用の強粘着タイプの粘着テープロール１種類を用意しておけば、すべての被清掃面にレール引き現象を起こすことなく使用できる。
【００１８】
請求項２，３および４に記載の発明によれば、紐体を係止しておくための係止具を設けたことにより、紐体を巻き付けずにそのままの状態で使用しても紐体が邪魔にならずに取り回しがよい。
【００１９】
請求項５に記載の発明によれば、係止具を着脱可能としたことにより、従来よりある粘着式清掃具に係止具を取り付けるだけで簡単に紐体を組み込むことができる。
【００２０】
請求項６に記載の発明によれば、伸縮性を有する紐体を使用状況に応じて引っ張って巻き付けることにより、紐体の太さを任意に変えることができ、粘着力を好みに応じて自由に変更することができる。
【００２１】
請求項７に記載の発明によれば、樹脂フィルムを基材として用いる場合には、端部に非粘着部（いわゆるセンターエッジ）を設ける必要がないため、粘着テープの端部も有効活用できるため隅のゴミも取ることができ、また中央に設けたことにより視認性および切断操作性がよく使いやすい。さらには、異なる色に着色されていることにより、テープの捲り位置を簡単に判別することができる。
【００２２】
請求項８に記載の発明によれば、非粘着部が蛇行もしくは非平行状に設けられていることにより、１周長毎に非粘着部がずれるため、さらにテープの捲り位置を簡単に判別することができる。
【発明を実施するための最良の形態】
【００２３】
次に、図面を参照しながら本発明の実施形態について説明する。図１は本発明の一実施形態に係る粘着式清掃具の斜視図であり、図２はこの粘着式清掃具の使用状態を示す斜視図である。この粘着式清掃具１は粘着テープロール２と、同粘着テープロール２を回転可能に支持するテープ支持部３とを備えている。
【００２４】
粘着テープロール２は、帯状の片面粘着の粘着テープ２１を粘着面２２が表側に露出するように巻芯（図示しない）に沿って多重に巻回したものからなり、この粘着テープロール２にはほぼ１周長ごとに例えばミシン目などからなる図示しない切れ目が設けられている。
【００２５】
図４に示すように、粘着テープ２１は例えばポリプロピレンなどの合成樹脂フィルムからなる基材２１ａを有し、同基材２１ａの表面（図４では上面）側には所定の厚さの粘着剤層２１ｂが形成されている。粘着材層２１ｂは例えばアクリル系樹脂などの粘着剤を塗布したものからなる。基材２１ａの裏面には積層する粘着面に対する剥離処理２１ｃが施されている。
【００２６】
この例において、基材２１ａはポリプロピレン製の合成樹脂フィルムを用いているが、材質は紙製もしくは布製などの柔軟なシート材が用いられる。合成樹脂フィルムを用いる場合は手切れ性を有する樹脂シートであってもよい。これによれば、使用者が好きな場所で粘着テープ２１を切断することができる。
【００２７】
図１および図４を参照して、粘着テープ２１の粘着面２２側のほぼ中央には粘着性を持たない非粘着部２３（センタードライ）が設けられている。非粘着部２３は粘着テープ２１の巻始め側（外周側）から巻き終わり側（巻芯側）まで所定幅（５〜２０ｍｍ、より好ましくは７〜１２ｍｍ）の帯状に連続的に形成されいる。
【００２８】
この例において、非粘着部２３は図７（ａ）に示すように、巻始め側から巻き終わり側にかけて粘着テープ２１の繰り出し方向に対して所定角度斜めに傾斜した帯状に形成されている。この例において非粘着部２３は斜めに形成されているが、図７（ｂ）に示すように波目状に蛇行してもよいし、またジグザグに形成されていてもよい。
【００２９】
これによれば、非粘着部２３にはゴミが付着かず、かつ、１周ごとにずらされているため、使用を終えた（ゴミが付着した）最外層の粘着テープ２１を剥がしとる際に捲り位置を簡単に見つけ出すことができるばかりでなく、端部に設けられている場合よりもより小さな力で確実に剥がしとることができる。
【００３０】
さらには、粘着テープロール２の両端部も粘着面とされていることにより、端部を床面の隅に押し当てることで隅に溜まったゴミも確実に捕捉することができる。
【００３１】
より好ましい態様としては、基材２１と粘着剤とをそれぞれ色の異なる顔料によって着色する。これによれば、着色しておくことにより、より粘着面２２と非粘着部２３を視認しやすくなる。
【００３２】
次に、再び図１および図３を参照して、テープ保持部３は手によって把持されるグリップ３１と、粘着テープロール２を回転可能に支持する支持ローラ３２とを有し、それらがシャフト３３を介して互いに連結されている。
【００３３】
グリップ部３３は、合成樹脂製の成型品からなり、手で把持しやすいように扁平な板状体に形成されている。グリップ部３３の上端側には、例えばフックなどの吊下治具に引っ掛けたり、紐などを挿通するための挿通孔３１１が設けられている。この実施形態において、グリップ部２１は扁平な板状に形成されているが、丸棒状であってもよく、その形状は特に限定されない。
【００３４】
シャフト３３は粘着テープロール２の一端側に取り付けられる基端部３３１と、基端部３３１に対してほぼ直角に折り曲げられたリンク部３３２と、一端がグリップ部３１に接続され、他端がリンク部３３２に連結されるステム部３３３とを備えており、これらをステンレスなどの金属棒を折り曲げて形成されている。
【００３５】
図３に示すように、支持ローラ３２は合成樹脂の成型品からなり、シャフト３３に回転可能に支持されている。支持ローラ３２は少なくとも粘着テープロール２の巻芯に沿って差し込まれ、巻芯が抜け落ちないように巻芯よりも若干大径に形成されている。支持ローラ３２の形状や材質などは仕様に応じて任意に変更できる。
【００３６】
支持ローラ３２の一端側、この例では左端側には係止具４が一体的に形成されている。図３に示すように、係止具４は支持ローラ３２の端部からシャフト３３側に向かって張り出されており、その外周面には紐体５を巻き取っておくためのリール溝４１が形成されている。
【００３７】
係止具４にはさらに未使用時に紐体５の一部を引っ掛けておくための切欠部４２（係止溝）が設けられている。この例において、切欠部４２は係止具４の外周から内径方向に向けて切り欠かれた単数もしくは複数のスリット溝からなるが、これ以外に紐体４を固定しておく手段があれば任意に用いられる。
【００３８】
図１に示すように、紐体５はこの例において柔軟性とともに伸縮性を有するゴム紐からなり、一端が係止具４に固定されている。紐体５の自由端側にはつまみ部５１が取り付けられている。
【００３９】
この紐体５は未使用状態において、紐体５は係止具４に沿って巻回された状態で収納されており、使用する際に係止具４から繰り出して粘着テープロール２の粘着面２２に沿って螺旋状に巻回することにより、粘着力を自由に調節することができる。使用後はつまみ部５１を把持して引っ張るだけで簡単に取り外すことができる。
【００４０】
これによれば、図５に示すように、粘着面２２に沿って紐体５を螺旋状に巻回することにより、床面Ｆ（被清掃面）と粘着面２２との間に紐体５が挟まれるため、粘着力が紐体５によって弱められ、どのような床面Ｆに対してもレール引き現象を起こさずに清掃することができる。
【００４１】
さらには、紐体５の厚さ分だけ粘着面が浮きあげられていることにより、例えば米粒などの比較的大きな粒状物を確実に捕捉することができる。また、紐体５をゴム紐としたことにより、適度なクッション性が生まれ、粘着面２を床面Ｆに押しつけたり、離したりすることで、粘着力を自由に調節できる。
【００４２】
この例において、紐体５はより粘着力を細かく調節することができるように伸縮性を有するゴム紐が用いられているが、これ以外に一般的な紐体、例えば凧糸やビニール紐などが用いられていてもよく。
【００４３】
この例において、係止具４はテープ保持部３２に一体的に形成されてるが、これ以外に例えば図６（ａ）に示すように、テープ保持部３２とシャフト３３との間にリング状の係止具４Ａを取り付けておき、その一部に紐体４の端部を取り付けるようにしてもよい。
【００４４】
また、図６（ｂ）に示すように、あらかじめ紐体４が取り付けられたＣリング状の係止具４を別部材として用意しておき、既存の粘着式清掃具に対して取り付けて使用してもよい。さらには、テープ保持部３のグリップ３１やシャフト３３の一部に紐体５の端部を保持するための例えばフックなどの保持手段を別に設けてもよい。
【００４５】
この粘着式清掃具１を使用するに当たっては、まず、図１に示すような未使用状態の係止具４から紐体５を繰り出して、粘着テープロール２の粘着面２２上に螺旋状に巻き付けた後、グリップ３１を把持して床面Ｆ上に沿って粘着テープロール２を転がすだけで簡単にゴミを捕捉することができる。
【００４６】
清掃後は、一旦紐体５を解いてからテープの先端部を把持して１周長分だけ繰り出して切断することにより、未使用の新しい粘着面２２が現れる。そこに再び紐体５を巻き付けることで使用可能な状態となる。
【００４７】
なお、この例では紐体５を解いた後に汚れた粘着面２２をはぎ取って捨てているが、紐体５のみを取り去った粘着面２２は、紐体５の巻き付かれていた部分には粘着力が残っており、弱粘着の粘着テープとしても用いることができるので、剥ぎ取らずに使用することもできる。
【００４８】
この例において、粘着テープ２１は粘着面２２が一様に形成されているが、例えば粘着面２２は縞状や環状などに形成されていてもよく、本発明の紐体を備えていればその構成は特に限定されない。
【図面の簡単な説明】
【００４９】
【図１】本発明の一実施形態に係る粘着式清掃具の斜視図。
【図２】上記粘着式清掃具に紐体を巻き付けた状態の斜視図。
【図３】粘着テープロールと保持部の部分断面図。
【図４】粘着テープの断面図。
【図５】使用状態を示す参考正面図。
【図６】固定部の変形例を示す斜視図。
【図７】非粘着部の形状を説明する説明図。
【符号の説明】
【００５０】
１  粘着式清掃具
２  粘着テープロール
２１  粘着テープ
２２  粘着面
２３  非粘着部
３  テープ保持部
３１  グリップ部
３２  支持ローラ
３３  シャフト
４  係止具
５  紐体
Ｆ  床面
【図１】
2006116168.tif 000003
【図２】
2006116168.tif 000004
【図３】
2006116168.tif 000005
【図４】
2006116168.tif 000006
【図５】
2006116168.tif 000007
【図６】
2006116168.tif 000008
【図７】
2006116168.tif 000009